(57)【要約】【課題】調剤時の過誤等を確実に防止可能であり、容易に運用等を行うことのできる調剤薬局業務処理システムを提供する。【解決手段】処方箋８をイメージとして読み取るイメージ読取部２と、このイメージを受信して送信する処理部３と、処理部３から処方箋８のイメージを受信して表示する表示部４と、を有し、表示部４は、複数のディスプレイ装置４ａ，４ｂから構成され、このディスプレイ装置４ａ，４ｂの各々は、調剤開始情報入力部５と調剤終了情報入力部６とを有し、処理部３は、一のディスプレイ装置４ａの調剤開始情報入力部５から一の処方箋８ａに対する調剤開始情報が入力された場合には、他のディスプレイ装置４ｂの調剤開始情報入力部からの一の処方箋８ａに対する調剤開始情報の入力を遮断する。【選択図】図１
2017006238.tif 000002
【特許請求の範囲】
【請求項１】
処方箋をイメージとして読み取るイメージ読取部と、
前記処方箋のイメージを受信して送信する処理部と、
この処理部から前記処方箋のイメージを受信して表示する表示部と、を有し、
前記表示部は、複数のディスプレイ装置から構成され、このディスプレイ装置の各々は、調剤開始情報入力部と調剤終了情報入力部とを有し、
前記処理部は、一の前記ディスプレイ装置の前記調剤開始情報入力部から一の処方箋に対する調剤開始情報が入力された場合には、他の前記ディスプレイ装置に前記調剤開始情報が入力されたことを表示させつつ、前記他のディスプレイ装置の前記調剤開始情報入力部からの前記一の処方箋に対する調剤開始情報の入力を遮断し、前記一のディスプレイ装置から前記一の処方箋に対する調剤終了情報の入力を受けた場合には、前記複数のディスプレイ装置すべてにおいて調剤が終了したことを表示させることを特徴とする調剤薬局業務処理システム。
【請求項２】
前記処理部は、複数の前記処方箋のイメージを受信して、前記表示部に送信し、前記複数のディスプレイ装置で、前記複数の処方箋のイメージのうち所望の処方箋のイメージを独立に表示させ、前記調剤開始情報の入力の処理及び前記調剤終了情報の処理を前記所望の処方箋毎に実行することを特徴とする請求項１記載の調剤薬局業務処理システム。
【請求項３】
前記表示部は、調剤中情報入力部を有し、
前記処理部は、前記調剤中情報入力部から前記一の処方箋に対する調剤中情報が入力された場合には、少なくとも前記一のディスプレイ装置に前記調剤中情報を表示させることを特徴とする請求項１又は請求項２記載の調剤薬局業務処理システム。
【発明の詳細な説明】
【技術分野】
【０００１】
本発明は、調剤薬局業務処理システムに係り、特に、複数の処方箋のイメージのうち所望のイメージを一のディスプレイ装置で表示させつつ調剤可能であるが、他のディスプレイ装置ではこの所望のイメージに対する調剤を不可能とする調剤薬局業務処理システムに関する。
【背景技術】
【０００２】
従来、調剤薬局においては、複数人の薬剤師が、それぞれ１台若しくは複数台のディスプレイ装置上にイメージとして表示された処方箋の記載に従い、調剤を行っていた。しかし、処方箋のイメージはこれを読み取った順に表示されるのみであり、これらのうちいずれが未処理か、調剤中か、あるいは調剤完了か、といった経過情報等をディスプレイ装置上で入力する機能や、入力した経過情報等をリアルタイムでディスプレイ装置に表示する機能を有していなかった。
そのため、複数の薬剤師間で必要な情報を共有することが困難であり、例えば一の薬剤師がすでに調剤を完了した処方箋にしたがい、他の薬剤師が同一の患者に対し二重に調剤してしまうという課題や、特定の処方箋が未処理で放置される事態が発生し処方薬が患者に届くのが遅延するといった課題があった。
そこで、このような課題を解決する目的で、近年、調剤時の過誤等を防止するシステム等が開発されており、それに関して既にいくつかの発明が開示されている。
【０００３】
特許文献１には「処方箋処理システム」という名称で、効率的に処方箋の処理を行う処方箋処理システムに関する発明が開示されている。
以下、特許文献１に開示された発明について説明する。特許文献１に開示された発明は、受け付けた処方箋をイメージとして読取るイメージ読取り部と、このイメージ読取り部により読取られたイメージデータに受付番号とバーコード付与する受付番号等付与部と、受付番号等を付与された受付コード付与処方箋イメージデータを送信する送信部と、この送信部から送信された受付コード付与処方箋イメージデータを受信しこの受付コード付与処方箋イメージを薬袋に印刷出力する調剤部署に置かれた調剤部署端末装置と、からなることを特徴とする。
このような特徴を備えた処方箋処理システムによれば、受け付けた処方箋は受付コード付与処方箋イメージデータとして、直ちに調剤部署端末装置から調剤士が目視できる状態に出力されるので、出力された内容をそのまま調剤士が見て正確な調剤を行なうことができる。
【０００４】
次に、特許文献２には「調剤薬局業務支援システム」という名称で、薬剤師による調剤内容のミス等をチェックできる調剤薬局業務支援システムに関する発明が開示されている。特許文献２に開示された発明は、処方箋画像取得手段と、処方箋画像データからの患者ＩＤ認識手段と、各患者別にその患者ＩＤ、氏名などを記録するためのデータベースと、各患者ＩＤ入力枠を表示し、この入力枠に入力された各患者ＩＤを検索キーとして、該当患者の処方箋データをデータベースに入力するための患者別入力フォーム呼出し手段と、患者ＩＤ認識手段が患者ＩＤを認識したとき、患者別入力フォームを検索して呼び出すため患者別入力フォーム呼出し指示手段と、を備えることを特徴とする。
このような特徴を有する調剤薬局業務支援システムにおいては、薬剤師による調剤のためのピッキング内容と処方箋内容との照合及びその照合結果の出力を行うようにしているので、薬剤師による調剤内容のミスやオペレータによる処方箋データの入力のミスを有効にチェックすることができる。
【先行技術文献】
【特許文献】
【０００５】
【特許文献１】特開２００３−７６７９０号公報
【特許文献２】特開２００５−１０９０４号公報
【発明の概要】
【発明が解決しようとする課題】
【０００６】
しかしながら、特許文献１に開示された発明においては、１名の調剤士が１台の調剤部署端末装置に表示された受付コード付与処方箋イメージデータを確認し、その後の薬品の流れを制御可能とするものであって、複数名の調剤士が複数の処方箋を処理する場合については、特に記載がない。したがって、前述したように、複数の調剤士が同時に調剤する場合における、二重調剤等の事態は想定されていない。すなわち、特許文献１に開示された発明は、上記のような事態の防止を解決すべき課題としておらず、そのため二重調剤等の発生を防止することは困難であると考えられる。
【０００７】
次に、特許文献２に開示された発明においては、スキャナからパソコンに送られた処方箋画像が自動的にマルチモニタの一方の画像に表示される。このとき、複数の薬剤師がそれぞれ別の処方箋画像を確認する場合については、特に記載がない。したがって、特許文献１に開示された発明と同様に、二重調剤等の発生を防止することは困難であると考えられるとともに、複数の処方箋を並行して処理できない可能性が高いので、調剤時の業務効率が良好であるとは言えない。
また、薬剤師がＩＣタグリーダーで読み取った薬剤の情報（ピッキングデータ）と、オペレータによって入力された処方箋データ等の照合を行うことで、調剤の過誤の有無のチェックが行われることから、比較的大掛かりなシステムが必要となる。このような大掛かりなシステムを、調剤薬局毎に導入することは、運用や保守管理、コスト面においても容易ではないものと考えられる。小規模な調剤薬局であればなおさらである。
【０００８】
本発明は、このような従来の事情に対処してなされたものであり、調剤時の業務効率が良好であって過誤等を確実に防止可能であり、しかも簡易な構成のために容易に運用や保守管理を行うことのできる調剤薬局業務処理システムを提供することを目的とする。
【課題を解決するための手段】
【０００９】
上記目的を達成するため、第１の発明は、処方箋をイメージとして読み取るイメージ読取部と、処方箋のイメージを受信して送信する処理部と、この処理部から処方箋のイメージを受信して表示する表示部と、を有し、表示部は、複数のディスプレイ装置から構成され、このディスプレイ装置の各々は、調剤開始情報入力部と調剤終了情報入力部とを有し、処理部は、一のディスプレイ装置の調剤開始情報入力部から一の処方箋に対する調剤開始情報が入力された場合には、他のディスプレイ装置に調剤開始情報が入力されたことを表示させつつ、他のディスプレイ装置の調剤開始情報入力部からの一の処方箋に対する調剤開始情報の入力を遮断し、一のディスプレイ装置から一の処方箋に対する調剤終了情報の入力を受けた場合には、複数のディスプレイ装置すべてにおいて調剤が終了したことを表示させることを特徴とする。
なお、第１の発明が記述された本願請求項１においては、「一の前記ディスプレイ装置」と「前記一のディスプレイ装置」、「他の前記ディスプレイ装置」と「前記他のディスプレイ装置」をそれぞれ区別して記載している。前者は、構成要素としての表示部を構成する「複数のディスプレイ装置」に含まれる１つのディスプレイ装置あるいはその以外のディスプレイ装置を選択するために、「一の前記ディスプレイ装置」あるいは「他の前記ディスプレイ装置」としているが、後者は、選択された後の１つのディスプレイ装置あるいはそれ以外のディスプレイ装置を指すために「前記一のディスプレイ装置」あるいは「前記他のディスプレイ装置」としている。
【００１０】
このような構成の第１の発明においては、イメージ読取部によって読み取られた処方箋のイメージは、例えば、リアルタイムに処理部へ送信される。次に、処理部は、これらのイメージを順次表示部に送信し、複数のディスプレイ装置によってそれぞれ視認可能とする。なお、複数のディスプレイ装置は、少なくとも１名の薬剤師によって視認される。
なお、処理部は処方箋のイメージを受信して送信するが、この処方箋のイメージは直接イメージ読取部から受信する場合のみならず、例えばデータベースのような記憶部を備える場合には、その記憶部から受信して送信する場合も含む。
【００１１】
次に、一のディスプレイ装置の調剤開始情報入力部に「一の処方箋」に対する調剤開始情報が入力されると、処理部は、他のディスプレイ装置の調剤開始情報入力部からの一の処方箋に対する調剤開始情報の入力を遮断することから、一の処方箋についてのみ調剤可能となる。なお、一のディスプレイ装置に調剤開始情報が入力されたことは、この一のディスプレイ装置に表示されても、表示されなくても良い。また、いずれのディスプレイ装置からも調剤開始情報が入力されない際に、処理部が処方箋のイメージを表示部に表示し続ける構成の場合には、特定の処方箋が未処理で放置されてしまうことが防止される。
一方で、他のディスプレイ装置の調剤開始情報入力部からの「他の処方箋」に対する調剤開始情報の入力は処理部によって遮断されないため、他のディスプレイ装置の調剤開始情報入力部に他の処方箋に対する調剤開始情報が入力されると、他の処方箋について調剤可能となる。
【００１２】
さらに、一の処方箋のみについて調剤が完了した後に、処理部が一のディスプレイ装置から一の処方箋に対する調剤終了情報の入力を受けた場合には、複数のディスプレイ装置すべてにおいて一の処方箋に対する調剤が終了したことを表示させる。したがって、他の複数の薬剤師によって一の処方箋に基づく処方薬の完成が認識される。
【００１３】
次に、第２の発明は、第１の発明において、処理部は、複数の処方箋のイメージを受信して、表示部に送信し、複数のディスプレイ装置で、複数の処方箋のイメージのうち所望の処方箋のイメージを独立に表示させ、調剤開始情報の入力の処理及び調剤終了情報の処理を所望の処方箋毎に実行することを特徴とする。
なお、第２の発明が記述された本願請求項２においても、「複数の前記処方箋」と「前記複数の処方箋」を区別して記載しており、その考え方は請求項１と同様である。
このような構成の第２の発明においては、第１の発明の作用に加え、複数の処方箋のイメージは、処理部により、例えば、それぞれ読み取り時刻や患者情報と関連付けられた後、表示部に送信される。
次に、処理部により、複数の処方箋のイメージのうち「所望の処方箋のイメージ」、すなわち上記の例では、読み取り時刻が最も早い処方箋のイメージや、特定の患者の処方箋のイメージが、一のディスプレイ装置に選択的に表示される。また、他のディスプレイ装置は、例えば、読み取り時刻が二番目、三番目に早い処方箋のイメージ等をそれぞれディスプレイ装置毎に選択的に表示可能である。
なお、各ディスプレイ装置において、選択された処方箋のイメージのみが表示される場合には、同時期に同一の処方箋のイメージが複数のディスプレイ装置に亘って重複して表示されることが防止される。
もちろん、当初は読み取り時刻が一番目のものを複数のディスプレイ装置のそれぞれに同時に表示させ、一のディスプレイ装置で選択されて調剤開始情報が入力された後に、他のディスプレイ装置では二番目に早い処方箋のイメージを表示させて、さらに、その二番目のものが他のディスプレイ装置の中のいずれかで選択されて調剤開始情報が入力された場合には、さらにその他のディスプレイ装置で三番目に早い処方箋のイメージを表示させるような処理も可能である。しかも、これらの表示処理はいずれかのディスプレイ装置で処方箋のイメージが選択されて調剤開始情報が入力されたことを契機として自動で表示させる処理も可能であるし、調剤開示情報の入力とは別個に処方箋のイメージ表示に関する頁めくりの操作部を薬剤師が触れたり押したりする動作によって表示させる処理がなされるものであってもよい。
【００１４】
また、一のディスプレイ装置と他のディスプレイ装置では、それぞれ調剤開始情報の入力の処理及び調剤終了情報の処理を所望の処方箋毎、すなわち選択された処方箋のイメージ毎に実行することから、例えば、各ディスプレイ装置において、それぞれ選択された処方箋のイメージのみが表示される場合はもちろんのこと、選択された処方箋のイメージと選択されない処方箋のイメージが表示される場合であっても、選択されない処方箋のイメージについて調剤を行うことはできない。したがって、このような場合にも所望の処方箋について、二重に調剤を行うことが防止される。
【００１５】
さらに、第３の発明は、第１又は第２の発明において、表示部は、調剤中情報入力部を有し、処理部は、調剤中情報入力部から一の処方箋に対する調剤中情報が入力された場合には、少なくとも一のディスプレイ装置に調剤中情報を表示させることを特徴とする。
なお、第３の発明が記述された本願請求項３における「前記一のディスプレイ装置」についても考え方は請求項１と同様であり、請求項１中に記載される「前記一のディスプレイ装置」とは同一のものを指している。
このような構成の第３の発明において、調剤中情報とは、例えば処方箋に複数種類の処方薬が記載されている場合に、調剤が完了した処方薬を識別するために、処理部が少なくとも一のディスプレイ装置に表示させる目印等が考えられる。
上記構成の第３の発明においては、第１又は第２の発明の作用に加え、調剤中情報が一のディスプレイ装置のみに表示される場合には、一のディスプレイ装置を視認する薬剤師が一の処方箋に記載されている複数種類の処方薬のうちの一種類について、二重に調剤したり、調剤し忘れることが防止される。さらに、調剤中情報が他のディスプレイ装置にも表示される場合には、他の薬剤師によっても、上記のような調剤ミスが把握される。
【発明の効果】
【００１６】
第１の発明によれば、処理部により、一の処方箋について、同時期に複数のディスプレイ装置からそれぞれ別々に調剤されることを防止可能である。一方で、他の処方箋については調剤可能であることから、複数のディスプレイ装置を介し複数の処方箋を並行して処理可能である。したがって、調剤時の業務効率が良好であるとともに、一の処方箋について二重に調剤するといった調剤の過誤等を防止することができる。
また、他の複数の薬剤師によって一の処方箋に基づく処方薬の完成が認識されるため、一の処方箋について、再度調剤を開始しようとすることを防ぐことができる。
さらに、第１の発明は、イメージ読取部と、処理部と、表示部と、を有する簡易な構成であることから、容易に運用や保守管理を行うことができる。
【００１７】
第２の発明によれば、第１の発明の効果に加えて、各ディスプレイ装置において、所望の処方箋のイメージを独立に表示させることができるため、イメージを独立に表示させることができない場合と比較して、各薬剤師がその時点で調剤すべき処方箋を正確に認識することができる。また、複数の処方箋のイメージをそれぞれ別のディスプレイ装置に表示させて処理することが可能であり、さらに、各ディスプレイ装置において、選択されない処方箋について調剤を行うことはできないため、複数のディスプレイ装置により複数の処方箋を並行して処理している場合であっても、調剤の過誤等を確実に防止できる。
【００１８】
第３の発明によれば、第１又は第２の発明の効果に加えて、薬剤師による所望の調剤中情報が入力、表示可能であるので、調剤途中の気付きをメモ書きしたり、調剤ミスを予防するためのチェックをマークすることが可能であり、一の処方箋に記載された処方薬の調剤ミスがないことを、薬剤師自身が処方薬毎に確認できる。また、他の薬剤師によってもこのような調剤ミスが把握される場合には、一の処方箋に関する調剤を多重にチェックすることとなるので、より精度の高い調剤が可能である。
【図面の簡単な説明】
【００１９】
【図１】実施例に係る調剤薬局業務処理システムのシステム構成図である。
【図２】実施例に係る調剤薬局業務処理システムの処理工程を示すフローチャートである。
【図３】一のディスプレイ装置の調剤開始時の画面である。
【図４】一のディスプレイ装置の調剤中の画面である。
【図５】（ａ）及び（ｂ）は、それぞれ他のディスプレイ装置の調剤開始時の画面であって、（ａ）は一の処方箋のイメージであり、図５（ｂ）は他の処方箋のイメージである。
【図６】（ａ）及び（ｂ）は、それぞれ他のディスプレイ装置の調剤中の画面であって、（ａ）は一の処方箋のイメージであり、図５（ｂ）は他の処方箋のイメージである。
【発明を実施するための形態】
【実施例】
【００２０】
本発明の実施の形態に係る調剤薬局業務処理システムの実施例について、図１乃至図６を参照しながら説明する。図１は、実施例に係る調剤薬局業務処理システムのシステム構成図である。
図１に示すように、本実施例に係る調剤薬局業務処理システム１は、処方箋８をイメージＩ（図２参照）として読み取るイメージ読取部２と、処方箋８のイメージＩをイメージ読取部２から受信して送信する処理部３と、この処理部３からのイメージＩを受信して表示する表示部４と、を有する。
これらのうち、イメージ読取部２としては、例えば、スキャナ装置が使用される。なお、スキャナ装置の台数は、特に限定されない。
表示部４は、複数のディスプレイ装置４ａ，４ｂから構成され、このディスプレイ装置４ａ，４ｂの各々は、調剤開始情報入力部５と調剤終了情報入力部６とを有する。さらに、表示部４は、一の処方箋８ａ（図３参照）に対する調剤中情報Ｍ（図２参照）が入力される調剤中情報入力部７を有する。なお、処理部３は、例えば、パソコンの中央演算処理部である。
処理部３は、一のディスプレイ装置４ａ（図３及び図４参照）の調剤開始情報入力部５から一の処方箋８ａに対する調剤開始情報Ｓ（図２参照）が入力された場合には、他のディスプレイ装置４ｂ（図５及び図６参照）に調剤開始情報Ｓが入力されたことを表示させつつ、他のディスプレイ装置４ｂの調剤開始情報入力部５からの一の処方箋８ａに対する調剤開始情報Ｓの入力を遮断し、一のディスプレイ装置４ａから一の処方箋８ａに対する調剤終了情報Ｅ（図２参照）の入力を受けた場合には、他のディスプレイ装置４ｂすべてにおいて調剤が終了したことを表示させる。なお、表示部４は、例えば、処理部３を構成するパソコンに通信回線を介して接続される複数のモニタである。
【００２１】
より詳細には、処理部３は、複数の処方箋８のイメージＩ（図２参照）を受信して、表示部４に送信し、複数のディスプレイ装置４ａ，４ｂで、複数の処方箋８のイメージＩのうち所望の処方箋８のイメージＩを独立に表示させ、調剤開始情報Ｓ（図２参照）の入力の処理及び調剤終了情報Ｅ（図２参照）の処理を所望の処方箋８毎に実行する。
また、処理部３は、調剤開始情報入力部５から一の処方箋８ａに対する調剤中情報Ｍ（図２参照）が入力された場合には、ディスプレイ装置４ａ，４ｂに調剤中情報Ｍを表示させる。
【００２２】
また、調剤薬局業務処理システム１においては、処理部３により、イメージ読取部２で読み取った処方箋８のイメージＩを記録するためのデータベース９を有する。処理部３は、この記録された処方箋８のイメージＩをデータベース９から読み出して、表示部４に送信してもよい。さらに、処理部３は、調剤開始情報入力部５から入力された一の処方箋８ａに対する調剤開始情報Ｓと、調剤終了情報入力部６から入力された一の処方箋８ａに対する調剤終了情報Ｅと、調剤中情報入力部７から入力された一の処方箋８ａに対する調剤中情報Ｍと、をデータベース９に対して記録する。もちろん、調剤中情報Ｍは一の処方箋８ａに加えられる情報であるので、処理部３によって一の処方箋８ａのイメージＩと合成して記録されるようにしてもよい。その際には、調剤中情報Ｍは担当薬剤師による個人的な付加情報であることから、保存・管理の際には、調剤中情報Ｍを含まない一の処方箋８ａとは別個に合成処方箋を記録するようにすることが望ましい。
【００２３】
次に、本実施例に係る調剤薬局業務処理システムの処理工程について、図２乃至図４を参照しながら説明する。図２は、実施例に係る調剤薬局業務処理システムの処理工程を示すフローチャートである。図３は、一のディスプレイ装置の調剤開始時の画面である。図４は、一のディスプレイ装置の調剤中の画面である。なお、図１で説明した構成要素と同一の構成要素は、図２乃至図４においても同一の符号を付してその説明を省略する。
図２に示すように、処理部３による調剤薬局業務処理システム１の処理工程は、ステップＳ１のイメージ読み取り工程と、ステップＳ２のイメージ表示工程と、ステップＳ３の調剤開始情報入力工程と、ステップＳ４の調剤中表示工程と、ステップＳ５の調剤開始情報入力遮断工程と、ステップＳ６の調剤中情報入力工程と、ステップＳ７の調剤中情報表示工程と、ステップＳ８の調剤終了情報入力工程と、ステップＳ９の調剤終了表示工程と、を有する。なお、処理部３により、データベース９にイメージＩを記録する工程と、データベース９からイメージＩを読み出す工程と、データベース９に一の処方箋８ａに対する調剤開始情報Ｓ、調剤終了情報Ｅ及び調剤中情報Ｍを記録する工程は、図示を省略する。
【００２４】
図２に示すように、まず、ステップＳ１のイメージ読み取り工程では、イメージ読取部２によって複数の処方箋８のイメージＩが読み取られる。
【００２５】
次のステップＳ２のイメージ表示工程では、処理部３が読み取られたイメージＩをイメージ読取部２から受信して、あるいはイメージ読取部２が一旦データベース９に記録する場合には、処理部３はデータベース９から読み取られたイメージＩを読み出して、例えば読み取り時刻と関連付けた後、表示部４へ送信する。これにより、複数のイメージＩは、処理部３によりそれぞれディスプレイ装置４ａ，４ｂに表示される。
また、処理部３は、一のディスプレイ装置４ａで、複数の処方箋８のイメージＩのうち所望の時刻に読み取られた一の処方箋８ａのイメージＩを独立に表示させる（図３参照）ことも可能である。なお、一の処方箋８ａのイメージＩを独立に表示させることは、後述する選択情報入力部１３（図３参照）から選択情報を入力することによって行われる。
なお、いずれのディスプレイ装置４ａ，４ｂからも調剤開始情報Ｓが入力されない際には、処理部３が処方箋８のイメージＩをディスプレイ装置４ａ，４ｂにそれぞれ表示し続ける。したがって、複数の処方箋８のうち特定の処方箋８が未処理で放置されてしまうことが防止される。
【００２６】
ここで、図３に示すように、選択情報が入力された後、一のディスプレイ装置４ａには、一の処方箋８ａのイメージＩのみが独立に表示されている。このイメージＩには、患者氏名１０、３種類の処方薬１１ａ〜１１ｃ等が表示されている。なお、処理部３が、一の処方箋８ａのイメージＩをより拡大して表示させる等、一の処方箋８ａのイメージＩを特に識別容易に表示可能な場合は、一のディスプレイ装置４ａの一つの画面に他の処方箋８ｂ（図５（ｂ）及び図６（ｂ）参照）のイメージＩが同時に表示される構成としても良い。
また、一の処方箋８ａのイメージＩの側方には、調剤開始情報入力部５として調剤作業中を表す「作」の文字５ａと、調剤終了情報入力部６として調剤済を表す「済」の文字６ａと、が表示されている。
さらに、イメージＩを挟んで調剤開始情報入力部５等と反対の側方には、調剤中情報入力部１２が表示されている。この調剤中情報入力部１２は、一の処方箋８ａのイメージＩに対し調剤中情報Ｍを書き込むための色や線の太さがそれぞれ異なるペンツール１２ａ〜１２ｆと、書き込んだ調剤中情報Ｍを消去するための消しゴムツール１２ｇと、以前の画面（図示せず）に戻るための矢印ツール１２ｈと、からなる。矢印ツール１２ｈによって戻る以前の画面とは、一操作前の画面の意味である。例えば、ペンツール１２ａ〜１２ｆを用いてペン書きをした直後に矢印ツール１２ｈを用いると、ペン書きする前の状態に戻ることを意味している。この矢印ツール１２ｈを用いることでペン書きや消しゴムのミスを帳消しにすることが可能で作業効率を向上させることができる。
なお、調剤開始情報入力部５、調剤終了情報入力部６及び調剤中情報入力部１２は、いずれもタッチパネル式であり、操作者（薬剤師）が指や入力用ペンでこれらのアイコンにタッチすることで、それぞれ調剤開始情報Ｓ、調剤終了情報Ｅ及び調剤中情報Ｍが、一のディスプレイ装置４ａから発信され処理部３によって受信される。
また、調剤中情報入力部１２については、操作者が指や入力用ペンでそれぞれのアイコンにタッチすることで、ペンツール１２ａ〜１２ｆや消しゴムツール１２ｇについての選択情報が処理部３に発信され、その後に指や入力用ペンで触れるとその箇所にペン書きやペン書き消去の情報が同様に発信されるものである。
ペンツール１２ｄ〜１２ｆは線の太さからマーカーツールとして利用することも可能である。
【００２７】
そして、イメージＩの下方には、複数の処方箋８のイメージＩのうち一の処方箋８ａのイメージＩを選択するための選択情報入力部１３が表示されている。選択情報入力部１３は、一の処方箋８ａよりも早く読み取られた処方箋のイメージＩを選択するための戻りボタン１３ａと、一の処方箋８ａよりも遅く読み取られた処方箋のイメージＩを選択するための送りボタン１３ｂと、からなる。
戻りボタン１３ａ又は送りボタン１３ｂから入力された選択情報が入力されると、入力された選択情報が処理部３に送信されて、処理部３はデータベース９に記録された複数のイメージＩから選択情報に従って一のイメージＩを選択して読み出し、選択情報表示部１４に選択情報を付しながら一のディスプレイ装置４ａに表示する。
この選択情報表示部１４は、具体的には、イメージ読取部２で読み取った複数の処方箋８のイメージＩの積算枚数１４ａと、選択したイメージＩのイメージ読取部２における読み取り順１４ｂと、調剤が未処理の処方箋８の枚数１４ｃと、調剤済の処方箋８の枚数１４ｄと、を表示するものである。なお、選択情報入力部１３と選択情報表示部１４も、タッチパネル式であり、操作者のタッチにより、それぞれ選択情報が処理部３によって受信され、一のディスプレイ装置４ａに一のイメージＩ及びその選択情報が表示される。
なお、後述する図５及び図６に示すように、一の処方箋８ａと他の処方箋８ｂの記載様式は同一であることが望ましく、他の処方箋８ｂのイメージＩ、調剤開始情報入力部５、調剤終了情報入力部６、調剤中情報入力部１２、選択情報入力部１３及び選択情報表示部１４の構成は、一のディスプレイ装置４ａのものとそれぞれ同様である。
これは、調剤開始情報入力部５、調剤終了情報入力部６、調剤中情報入力部１２、選択情報入力部１３及び選択情報表示部１４が、予めタッチパネル式のディスプレイ装置４ａ，４ｂの画面上に処方箋８ａ，８ｂのイメージＩ，Ｉ毎に表示されるように構成されているためであり、これらの調剤開始情報入力部５、調剤終了情報入力部６、調剤中情報入力部１２、選択情報入力部１３及び選択情報表示部１４に関する表示情報は処理部３に格納されて処方箋８ａ，８ｂのイメージＩ，Ｉ毎に表示される。
しかしながら、これらの調剤開始情報入力部５、調剤終了情報入力部６、調剤中情報入力部１２及び選択情報入力部１３は例えばタッチパネル式ではないディスプレイ装置では、ディスプレイ装置の枠体や付属物として設けられたハードウェアである操作部に設けられる場合もある。その場合、１つのディスプレイ装置の画面に１つの処方箋８ａのイメージＩを表示する際には１通りの入力部でよいが、複数の処方箋８ａ，８ｂのイメージＩ，Ｉを表示する場合にはそれぞれ対応した入力部を設けることが必要となる。
【００２８】
再び図２に戻ると、ステップＳ３の調剤開始情報入力工程では、処理部３は、一のディスプレイ装置４ａの調剤開始情報入力部５から一の処方箋８ａに対する調剤開始情報Ｓが入力されると、ステップＳ４の調剤中表示工程において、一のディスプレイ装置４ａに調剤開始情報Ｓが入力されたことを表示させる。これと同時に、他のディスプレイ装置４ｂに調剤開始情報Ｓが入力されたことを表示させる。
具体的には、図４に示すように、一のディスプレイ装置４ａにおいて、一の処方箋８ａに対する調剤開始情報Ｓが入力されると、処理部３によって「作」の文字５ａの色が変化して表示される（図４中破線による斜線部分）ことで、一のディスプレイ装置４ａを視認する薬剤師は、一の処方箋８ａに対して自分が入力した調剤開始情報Ｓが受け入れられたことが認識できる。
一方、他のディスプレイ装置４ｂでは、図５（ａ）に示されるように、処理部３によって「作」の文字５ａ上に「バツ印」が上書きされるように表示されるため、他のディスプレイ装置４ｂを視認する薬剤師は、一の処方箋８ａに対しては、他の薬剤師が既に選択を済ませたことが認識できる。
【００２９】
そして、図２に示すように、ステップＳ３の調剤開始情報入力工程において調剤開始情報Ｓが入力されたとき、処理部３はステップＳ５の調剤開始情報入力遮断工程において、他のディスプレイ装置４ｂの調剤開始情報入力部５からの一の処方箋８ａに対する調剤開始情報Ｓの入力を遮断する。すなわち、たとえ、他のディスプレイ装置４ｂに一の処方箋８ａのイメージＩを表示し、このイメージＩの調剤開始情報入力部５をタッチした場合であっても、調剤開始情報Ｓが処理部３によって受信されることはない。したがって、ディスプレイ装置４ａ，４ｂ中、一のディスプレイ装置４ａによって一の処方箋８ａについてのみ調剤が可能となる。従って、他のディスプレイ装置４ｂを視認する薬剤師は一の処方箋８ａについて自分が調剤できないことも認識できる。
なお、他のディスプレイ装置４ｂの調剤開始情報入力部５からの他の処方箋８ｂに対する調剤開始情報Ｓの入力は遮断されない（図５（ｂ）参照）ため、他のディスプレイ装置４ｂの調剤開始情報入力部５に他の処方箋８ｂに対する調剤開始情報Ｓが入力されると、他の処方箋８ｂについて調剤可能となり、図４に示される一のディスプレイ装置４ａのように、処理部３によって「作」の文字５ａの色が変化して表示される（図６（ｂ）参照）。
【００３０】
続いて、ステップＳ６の調剤中情報入力工程では、一のディスプレイ装置４ａにおいて一の処方箋８ａに対する調剤開始情報Ｓが入力された場合に限り、調剤中情報入力部１２から入力された調剤中情報Ｍが処理部３によって受信される。
具体的には、図４に示すように、一のディスプレイ装置４ａにおいて、操作者が調剤中情報入力部１２からペンツール１２ｃを選択すると、図４に示されるようにペンツール１２ｃの色が変化する。その状態で、処方薬１１ａ，１１ｂ上に「レ点」や処方薬１１ｃに「下線」を書き込んだ場合には、処理部３は、これらの書き込みを調剤中情報Ｍが入力されたものと認識し、直ちにステップＳ７の調剤中情報表示工程に進んで一のディスプレイ装置４ａに表示させる。また、これらの調剤中情報Ｍは、処理部３によってデータベース９に送信され読み出し可能に記録される。また、前述のとおり、処理部３によって一の処方箋８ａのイメージＩと合成して記録されるようにしてもよい。さらに、データベース９に記録された調剤中情報Ｍあるいは処方箋８ａのイメージＩと合成されたものは、処理部３によって一のディスプレイ装置４ａの他にも他のディスプレイ装置４ｂから読み出されるようにしてもよい。
なお、調剤中情報入力部１２は、一のディスプレイ装置４ａにおいて、一の処方箋８ａのイメージＩの範囲と一致するよう広く設定されているため、処方薬１１ａ〜１１ｃの付近のみならず、患者氏名１０の付近にも「レ点」等を書き込むことができる。
これに対し、再び図２に戻ると、一の処方箋８ａに対する調剤中情報Ｍが入力されない場合には、ステップＳ８の調剤終了情報入力工程に進む。
【００３１】
ステップＳ８の調剤終了情報入力工程では、処方薬１１ａ〜１１ｃの調剤が完了した場合に、調剤終了情報入力部６における「済」の文字６ａを指や入力用ペンでタッチすると、一のディスプレイ装置４ａから一の処方箋８ａに対する調剤終了情報Ｅが処理部３によって受信される。
処理部３は、調剤終了情報Ｅの入力を受けた場合には、ステップＳ９の調剤終了表示工程で、一のディスプレイ装置４ａにおいて一の処方箋８ａに対する調剤が終了したことを表示させる。この表示は、例えば図６（ａ）に示されるように処方箋８ａのイメージＩ上に円形の枠で囲まれた「済」の文字１５を表示してもよいし、図４で「作」の文字５ａの色を変化させたように「済」の文字６ａの色を変化させるようにしてもよい。また、他のディスプレイ装置４ｂにおいても、一の処方箋８ａに対する調剤が終了したことを一のディスプレイ装置４ａと同様に表示させる。「済」の文字の場合は「作」の文字の場合とは異なり、既にその処方箋８ａに対する薬剤師が特定されており、ディスプレイ装置４ａ，４ｂ間で調剤終了に対する表示の識別を行う必要がないためである。
なお、調剤終了情報Ｅの入力を受けた一の処方箋８ａについては、処理部３により、他のディスプレイ装置４ｂのみならず一のディスプレイ装置４ａにおいても調剤開始情報Ｓの入力が遮断される構成である。また、一のディスプレイ装置４ａにおいては、選択情報入力部１３の送りボタン１３ｂをタッチすることで、処理部３が、処方箋８のイメージＩのうち未だ調剤されていない新たな他の処方箋のイメージＩを選択して表示するため、この新たな他の処方箋のイメージＩについては、ステップＳ３の調剤開始情報入力工程からの調剤を再開することができる。
【００３２】
次に、他のディスプレイ装置４ｂの表示について、図５を用いながら、より詳細に説明する。図５（ａ）及び図５（ｂ）は、それぞれ他のディスプレイ装置の調剤開始時の画面であって、図５（ａ）は一の処方箋８ａのイメージＩであり、図５（ｂ）は他の処方箋８ｂのイメージＩである。なお、他のディスプレイ装置の画面は、図５（ａ）のイメージＩと図５（ｂ）のイメージＩを同時に一つの画面で表示可能に構成されている。また、図１乃至図４で説明した構成要素と同一の構成要素は、図５においても同一の符号を付してその説明を省略する。
図５（ａ）に示すように、他のディスプレイ装置４ｂにおいて、ステップＳ４の調剤中表示工程で処理部３が一の処方箋８ａに対する調剤開始情報Ｓ（図２参照）の入力を受けた場合には、一の処方箋８ａのイメージＩの側方における「作」の文字５ａに「バツ印」が重ねて表示される。
【００３３】
また、図５（ｂ）に示すように、他のディスプレイ装置４ｂの選択情報入力部１３から選択情報が入力され、処理部３がこの選択情報を受信した場合には、他のディスプレイ装置４ｂに他の処方箋８ｂのイメージＩが表示される。この他の処方箋８ｂのイメージＩには、一の処方箋８ａとは別の患者氏名１０ａと処方薬１１ｄが表示されている。ただし、他のディスプレイ装置４ｂにおける他の処方箋８ｂに対する調剤開始情報Ｓは未だ入力されておらず、「作」の文字５ａの色は変化していない。
【００３４】
さらに、他のディスプレイ装置４ｂの表示について、図６を用いながら、より詳細に説明する。図６（ａ）及び図６（ｂ）は、それぞれ他のディスプレイ装置の調剤中の画面であって、図６（ａ）は一の処方箋８ａのイメージＩであり、図６（ｂ）は他の処方箋８ｂのイメージＩである。また、図１乃至図５で説明した構成要素と同一の構成要素は、図６においても同一の符号を付してその説明を省略する。
図６（ａ）に示すように、他のディスプレイ装置４ｂにおいて、ステップＳ８の調剤終了情報入力工程で、処理部３が一の処方箋８ａに対する調剤終了情報Ｅ（図２参照）の入力を受けた場合には、ステップＳ５の調剤開始情報入力遮断工程で「作」の文字５ａに「バツ印」が重ねて表示されたことに加え、一の処方箋８ａのイメージＩの右下角部に円形の枠で囲まれた「済」の文字１５が表示される。
【００３５】
また、図６（ｂ）に示すように、他のディスプレイ装置４ｂにおいて、他の処方箋８ｂに対する調剤開始情報Ｓが入力されると、処理部３によって図４と同様に「作」の文字５ａの色が変化して表示される（図６（ｂ）中破線による斜線部分）ことで、調剤開始情報Ｓが入力されたことが認識できる。
【００３６】
以上説明したように、本実施例に係る調剤薬局業務処理システム１によれば、処理部３により、一の処方箋８ａについて、同時期に複数のディスプレイ装置４ａ，４ｂからそれぞれ別々に調剤されることを防止可能である。一方で、他のディスプレイ装置４ｂにより他の処方箋８ｂについては調剤可能であることから、ディスプレイ装置４ａ，４ｂを介し複数の処方箋８を並行して処理可能である。したがって、調剤時の業務効率が良好であるとともに、一の処方箋８ａについて同時に二重に調剤するといった調剤の過誤等を防止することができる。
また、他のディスプレイ装置４ｂでは、選択されない一の処方箋８ａについて調剤を行うことはできないため、ディスプレイ装置４ａ，４ｂにより複数の処方箋８を並行して処理している場合であっても、調剤の過誤等を確実に防止できる。
さらに、他の複数の薬剤師によって一の処方箋８ａに基づく処方薬の完成が認識されるため、一の処方箋８ａについて、再度調剤を開始しようとすることを防ぐことができる。したがって、時間を空けて二重に調剤されることを防止可能である。
加えて、例えば、図４、図５及び図６に示したように、一の処方箋８ａに記載された処方薬の調剤ミスがないことを、薬剤師自身と他の薬剤師がそれぞれ一のディスプレイ装置４ａと他のディスプレイ装置４ｂにおいて処方薬毎に確認できるので、より精度の高い調剤が可能である。一の処方箋８ａに対して他のディスプレイ装置４ｂでは入力はできないものの表示は可能であるため、他の薬剤師も他のディスプレイ装置４ｂを用いて処方薬をチェックすることは可能なのである。
【００３７】
そして、調剤薬局業務処理システム１は、イメージ読取部２と、処理部３と、表示部４と、等からなる簡易な構成である。また、これらは、具体的にはスキャナやパソコンを利用することが可能であって特殊な装置を必要としないため、コストが安価であり、規模の小さい調剤薬局でも容易に導入や運用が可能である。
また、調剤薬局業務処理システム１を稼働させる操作としては、ディスプレイ装置４ａ，４ｂにおいて調剤開始情報Ｓや、調剤中情報Ｍ及び調剤終了情報Ｅを入力するのみで良い。そしてこれらは、それぞれ「作」の文字５ａやペンツール１２ａ〜１２ｆ等、単純化されたレイアウトの調剤開始情報入力部５や調剤中情報入力部１２等から入力することができる。そのため、操作が容易であり、処方薬の調剤を速やかに完了することができる。したがって、処方薬の患者への手渡しや会計等の以降の工程へスムーズに移行することができる。
【００３８】
なお、本発明の調剤薬局業務処理システム１は本実施例に示すものに限定されない。例えば、表示部４は、３台以上のディスプレイ装置が備えられていても良い。また、処理部３によって複数の処方箋８のイメージＩは、例えば、患者ＩＤと関連付けられても良い。これにより医薬の処方歴等も検索することが可能となり、同一の患者に対して過度な処方を行ったり、履歴データと比較することでより調剤ミスをなくすことも可能である。さらに、処方箋８の原紙管理のみで十分な場合等には、複数の処方箋８のイメージＩと調剤中情報Ｍは、データベース９に必ずしも記録されなくても良い。そして、調剤開始情報入力部５、調剤終了情報入力部６、調剤中情報入力部１２、選択情報入力部１３及び選択情報表示部１４は、図３乃至図６に開示された以外の構成でも良い。また、選択情報表示部１４は省略されても良い。さらに、一のディスプレイ装置４ａに調剤開始情報Ｓが入力されたことは、この一のディスプレイ装置４ａに「作」の文字５ａとして必ずしも表示されなくても良い。
【産業上の利用可能性】
【００３９】
本発明は、調剤薬局に導入し、容易に運用等を行うことのできる調剤薬局業務処理システムとして利用可能である。
【符号の説明】
【００４０】
１…調剤薬局業務処理システム  ２…イメージ読取部  ３…処理部  ４…表示部  ４ａ…一のディスプレイ装置  ４ｂ…他のディスプレイ装置  ５…調剤開始情報入力部  ５ａ…「作」の文字  ６…調剤終了情報入力部  ６ａ…「済」の文字  ７…調剤中情報入力部  ８…処方箋  ８ａ…一の処方箋  ８ｂ…他の処方箋  ９…データベース  １０，１０ａ…患者氏名  １１ａ〜１１ｄ…処方薬  １２…調剤中情報入力部  １２ａ〜１２ｆ…ペンツール  １２ｇ…消しゴムツール  １２ｈ…矢印ツール  １３…選択情報入力部  １３ａ…戻りボタン  １３ｂ…送りボタン  １４…選択情報表示部  １４ａ…積算枚数  １４ｂ…読み取り順  １４ｃ…未処理の処方箋の枚数  １４ｄ…調剤済の処方箋の枚数  １５…「済」の文字  Ｉ…イメージ  Ｓ…調剤開始情報  Ｅ…調剤終了情報  Ｍ…調剤中情報
【図１】
2017006238.tif 000003
【図２】
2017006238.tif 000004
【図３】
2017006238.tif 000005
【図４】
2017006238.tif 000006
【図５】
2017006238.tif 000007
【図６】
2017006238.tif 000008